(57)【要約】【課題】同一構造で押し開きと引き開きに両用可能な間仕切りドア用のプッシュプル錠操作ユニットを提供すること。【解決手段】  ドアに固定される固定盤5と、ラッチ錠の角軸の一端が挿通可能な凹部９ａを有し、凹部９ａを中心とするように回転可能に固定盤５に設けられた回動カムと、バネ１２により中立位置に付勢され、回動カム９と接触し、押引操作される操作ハンドル１０により回動カム９を正逆転させるコマ片８と、操作ハンドル１０を回動可能に支持するとともに回動カム９及びコマ片８を収容し、固定盤５に取り付けられる飾り台１１と、コマ片８に取り付けられた操作ハンドル１０とからなる。【選択図】図３
0003204263.tif 000002
【実用新案登録請求の範囲】
【請求項１】
ドアに固定される固定盤と、ラッチ錠の角軸の一端が挿通可能な凹部を有し、前記凹部を中心とするように回転可能に前記固定盤に設けられた回動カムと、バネにより中立位置に付勢され、前記回動カムと接触し、押引操作される操作ハンドルにより前記回動カムを正逆転させるコマ片と、前記操作ハンドルを回動可能に支持するとともに前記回動カム及びコマ片を収容し、前記固定盤に取り付けられる飾り台と、前記コマ片に取り付けられた前記操作ハンドルとからなる間仕切りドア用のプッシュプル錠の操作ユニット。
【請求項２】
前記バネは、コイルバネで構成されている請求項１に記載の間仕切りドア用のプッシュプル錠の操作ユニット。
【請求項３】
前記コマ片は切り欠を有し、前記回動カムは、前記コマ片の切り欠に係合する凸部を有する請求項１に記載の間仕切りドア用のプッシュプル錠の操作ユニット。
【考案の詳細な説明】
【技術分野】
【０００１】
本考案は、ノブの回動により開錠操作するチューブラーラチェット錠に適用してプッシュプル錠として使用できる操作ユニットに関する。
【背景技術】
【０００２】
角軸の回動により開錠するラチェット錠に適用可能なプッシュプル開錠ユニットには特許文献１にみられるよう、ベース部材と、角軸を備えた回転部材と、手動部材を設け、角軸が扉面に対して垂直方向に配置された状態で回転部材をベース部材に扉面と平行な面上で回動自在に装着する。次に扉面に対して垂直な面上にて揺動動作するようにベース部材に手動部材を配置する。手動部材と回転部材に連動凸部と連動凹部を振り分けて形成し、互いを直接係合させる。若しくは連動凸部と連動凹部を有した連動部材をその間に介在させて両者を連結する。その結果手動部材の揺動操作を回転カムと角軸の回転動作に変換してラッチ錠の解錠が可能となるように構成したものが提案されている。
【０００３】
しかしながら、間仕切りドアに適用しようとすると、押し開き、引き開きのそれぞれに対応するように変換機構を変更する必要があり、コストが掛かるという問題がある。
【先行技術文献】
【特許文献】
【０００４】
【特許文献１】特開2015-127486号公報
【考案の概要】
【考案が解決しようとする課題】
【０００５】
本考案はこのような問題に鑑みてなされたものであってその目的とするところは、同一構造で押し開きと引き開きに両用可能な間仕切りドア用のプッシュプル錠の操作ユニットを提供することである。
【課題を解決するための手段】
【０００６】
このような課題を達成するために本考案においては、ドアに固定される固定盤と、ラッチ錠の角軸の一端が挿通可能な凹部を有し、前記凹部を中心とするように回転可能に前記固定盤に設けられた回動カムと、バネにより中立位置に付勢され、前記回動カムと接触し、押引操作される操作ハンドルにより前記回動カムを正逆転させるコマ片と、前記操作ハンドルを回動可能に支持するとともに前記回動カム及びコマ片を収容し、前記固定盤に取り付けられる飾り台と、前記コマ片に取り付けられた前記操作ハンドルとからなる。
【考案の効果】
【０００７】
本考案によれば操作ハンドルが中立位置に戻るため、押し引き両方に対応でき同一構造で、ドアの表裏の一対の操作ユニットとして利用できて製造工程の簡略化によりコストの引き下げを図ることができる。
【図面の簡単な説明】
【０００８】
【図１】本考案のプッシュプル錠の操作ユニットの概要を示す図。
【図２】ラッチユニットの角棒から操作ユニットを取り外して示す図。
【図３】プッシュプル錠の操作ユニットの断面構造を示す図。
【図４】プッシュプル錠の操作ユニットの断面構造を示す図。
【図５】図（イ）（ロ）は、それぞれ運動変換機構の一実施例を直行する方向から見た状態で示す図。
【図６】同上の運動変換機構を分解して示す図。
【図７】図（イ）（ロ）は、それぞれ施錠状態と開錠状態とにおける回動カムとコマ片の状態を示す図。
【考案を実施するための形態】
【０００９】
以下に本考案の詳細を図示した実施例に基づいて説明する。
図１〜７は、本考案の一実施例を示すものであって、ドアに元々セットされていた間仕切り用のプッシュプル錠のチューブララチエットユニット１の角軸２の両端にセットされる操作ユニット３、３は、ドアにネジ４，４で固定される固定盤５と、固定盤５の一方の面に相対向するように立設された２つの取付座６，６と、取付座６の先端に軸７，７により回動可能に設けられている。
【００１０】
その上で、図５、図６に示すように運動変換機構の一部を構成する２つのコマ片８，８と、運動変換機構の他方を構成し、角軸２の一端が挿通可能な凹部９ａを有し、固定盤５の表面に平行に凹部９ａを中心とするように回転可能な回動カム９と、これら運動変換機構を内蔵するとともに操作ハンドル１０を回動可能に支持する飾り台１１とを含んでいる。
【００１１】
コマ片８はその頂部の面取り部８ｃ、８ｃに接触するようにネジ１６で操作ハンドル１０が設けられている。
【００１２】
コイルバネ１２は、両端を交差させるとともに先端側をコイルの軸線方向に曲げて挟持部１２ａ，１２ａが形成され、コマ片８，８を中立位置に保持するように付勢した状態で一方のコマ片８の凹部８ａに収容され、コマ片同士はネジ１３により一体に固定されている。
【００１３】
運動変換機構を構成する回動カム９は、固定盤５の通孔５ａ（図３）に回動可能に挿通されて水平方向（固定盤の平面）の位置決めがなされ、角軸２の一端が挿通可能な凹部９ａの中心から離れた位置に一方のコマ片８に形成された切り欠８ｂに係合する凸部９ｂを有している。凸部９ｂには切り欠８ｂとの摩擦低減用のリング１４が遊嵌されている。
【００１４】
なお、図中符号１５は、回動カム８の先端に勘合されて固定盤５からの抜け落ちを防止するＣリングである。
【００１５】
この実施例においてチューブララチエットユニット１のラッチ１ａが突出している状態で、操作ユニットの回動カム９の凹部９ａを角棒２の両端に挿通して固定盤５をドアに螺子４で固定する。
この状態では図７（イ）に示したようにバネ１２によりコマ片８が中立位置に保持されているから個々の取っ手ユニットの操作ハンドル１０はドアの平面に対してほぼ平行な状態（図４）、つまりラッチ１ａが突出して施錠状態となる。
【００１６】
押し開きすべく操作ハンドル１０を押し込むと（図１の符号１０’の状態）、操作ハンドル１０の回動によりコマ片８が回動され（図７（ロ））、凸部９ｂが図中右に押されて回動カム９が回動する。これにより角棒２も回動しラッチ１ａが後退し開錠可能となる。
【００１７】
他方、裏面から引き開きするべく操作ハンドル１０を引くと（図１の符号１０”の状態）、操作ハンドル１０が回動してコマ片８が回動されて随伴して回動カム９が回動し（図７（ロ））、角棒２も回動してラッチ１ａが後退し開錠される。
【００１８】
なお、施錠状態で操作ハンドル１０を押しても角棒２はラッチ１ａを突出させる方向に回動しようとするので過度な回動は阻止される。
【００１９】
この実施例によれば、回動カム９がコイルバネ１２により中立位置に保持されているため、ドアの表裏に取り付けられると一方の面の操作ハンドル１０の押し操作、他方の面の操作ハンドル１０の引き操作で角棒２は同一方向に回動されるため、同一の構造で一対のユニットを構成することができる。
【００２０】
すなわち、同一の構成の操作ユニットをプル用とプッシュ用の２つに共用できるので、製造工程の簡素化によりコストダウンをはかることができる。
【００２１】
なお、上述の実施例においては既存の間仕切り用チューブララチエットユニットにアダプタもしくは交換部品として適用する場合を例にとって説明したが、間仕切り用チューブララチエットユニットとセットにした製品として販売できることは明らかである。
【符号の説明】
【００２２】
１  チューブララチエットユニット    １ａラッチ    ２  角軸    ３  操作ユニット    ５  固定盤    ６  取付座    ７  軸    ８  コマ片    ８ｂ  切り欠    ９  回動カム    ９ａ  角軸挿通用の凹部    ９ｂ  凸部    １０  操作ハンドル    １１  飾り台    １２  コイルバネ    １２ａ  挟持部  
【図１】
0003204263.tif 000003
【図２】
0003204263.tif 000004
【図３】
0003204263.tif 000005
【図４】
0003204263.tif 000006
【図５】
0003204263.tif 000007
【図６】
0003204263.tif 000008
【図７】
0003204263.tif 000009